(57)【特許請求の範囲】
【請求項１】
使用者から検索対象動画証拠物の検索領域情報と少なくとも一つの代表イメージ抽出方法の入力を受けて検索/復元エンジン部２００に提供して、前記検索/復元エンジン部２００で抽出した代表イメージを表示する使用者インターフェース部１００と、及び
前記使用者インターフェース部１００で入力された検索領域情報と代表イメージの抽出情報によって前記検索対象動画証拠物で前記入力された検索領域のフレーム情報を分析して代表フレーム情報を抽出して、前記抽出された代表フレーム情報をイメージで復元して前記使用者インターフェース部１００に出力する検索/復元エンジン部２００を含み、
前記使用者インターフェース部１００は、使用者から検索対象動画証拠物で検索領域を選択し、前記選択された検索領域で代表イメージの抽出方法を選択する選択部１１０と、及び、前記検索/復元エンジン部２００で抽出した代表イメージ情報を表示する表示部１２０を含み、
前記選択部１１０は、検索対象動画証拠物の全体領域または使用者が設定した任意の特定領域のうちで何れか一つを検索範囲で設定し、
前記選択部１１０は、前記設定された検索範囲で空間的分割を代表フレーム検出方法で設定し、
前記空間的分割は、検索対象になる大容量動画証拠物の物理的な記憶空間を使用者が設定した任意の記憶容量単位で分割して選択された一定記憶容量ごとに代表フレームイメージを検出することを特徴とする、デジタルフォレンジックで大容量動画証拠物に対する高速検索装置。
【請求項２】
前記検索/復元エンジン部２００は前記使用者インターフェース部１００で入力された検索領域と代表イメージの抽出方法によって前記検索対象動画証拠物で前記入力された検索領域のフレーム情報を分析して代表フレーム情報を抽出する検索部２１０と、及び
前記検索部２１０で抽出された代表フレーム情報をイメージで復元する復元部２２０を含むことを特徴とする請求項１に記載のデジタルフォレンジックで大容量動画証拠物に対する高速検索装置。
【請求項３】
前記検索部２１０は入力された検索領域と代表イメージの抽出方法によって前記検索対象動画証拠物が記憶された物理的な空間で空間的分割を通じて代表フレーム情報を抽出することを特徴とする請求項２に記載のデジタルフォレンジックで大容量動画証拠物に対する高速検索装置。
【請求項４】
ａ)使用者インターフェース部１００が使用者から検索対象動画証拠物の検索領域を設定する段階と、
ｂ)前記使用者インターフェース部１００が使用者から前記設定された検索領域で少なくとも一つの代表イメージ抽出方法の入力を受けて設定する段階と、
ｃ)検索/復元エンジン部２００が前記設定された検索領域で前記設定された代表イメージの抽出方法によって代表フレーム情報を検索する段階と、及び
ｄ)前記検索/復元エンジン部２００が検索された代表フレーム情報でイメージ情報を復元し、使用者インターフェースの表示部１２０に表示する段階と、を含み、
前記ｃ)段階は、空間的分割を通じて代表フレーム情報を検索し、分割された特定大きさの空間で一番目に検索されたフレームを代表フレームで検索し、
前記空間的分割は、
前記検索/復元エンジン部２００が検索対象になる大容量動画証拠物の物理的な記憶空間を対象空間にして検索し、前記検索を通じて最初検出された動画フレーム情報を記憶する段階と、
前記検索/復元エンジン部２００が前記対象空間を一定容量によって飛ばしながら検索し、前記検索を通じて検出された代表フレーム情報を記憶する段階と、及び、
前記対象空間の全体検索が完了するまで前記一定記憶容量ごとに代表フレーム情報を検出する段階を含む、ことを特徴とする、デジタルフォレンジックで大容量動画証拠物に対する高速検索方法。
【請求項５】
前記ａ)段階は前記検索対象動画証拠物の全体領域または使用者が設定する任意の特定領域のうちで少なくとも一つを検索領域で設定することを特徴とする請求項４に記載のデジタルフォレンジックで大容量動画証拠物に対する高速検索方法。
【請求項６】
前記ｂ)段階は、代表イメージ抽出方法で検索対象動画証拠物が記憶された物理的な空間で空間的分割を分割方法で設定することを特徴とする請求項４に記載のデジタルフォレンジックで大容量動画証拠物に対する高速検索方法。
【発明の詳細な説明】
【技術分野】
【０００１】
本発明は、デジタルフォレンジックで大容量動画証拠物に対する高速検索装置及び方法に関する発明であり、より詳細には、検索対象領域を任意の範囲程度分割して代表フレームイメージを検出して証拠イメージがあるものとして推定される領域を追加繰り返して段階的に検出することで、大容量の動画で速かに所望の証拠フレームイメージを検索するデジタルフォレンジックで大容量動画証拠物に対する高速検索装置及び方法に関するものである。
【背景技術】
【０００２】
現在ますます増加している各種犯罪事件と事故らにおいて、証拠資料で使用することができるＣＣＴＶ、ブラックボックス及びスマートフォンなどに対する証拠物収集と分析に対する必要性がますます増加している。
【０００３】
しかし、記憶媒体の大容量化によって録画することができる時間とその容量も共に増加している。
【０００４】
特に、証拠資料でたくさん活用されているＣＣＴＶの録画映像は、解像度と記憶媒体の容量によって最小数日から最大数ヶ月までのデータを録画することができる。
【０００５】
このような大容量の動画は基本的に数百万枚以上のキーフレームイメージ情報を盛っているし、詳細フレームイメージまで考慮する場合分析しなければならない映像のフレームの個数は数倍〜数十倍以上増えるようになる。
【０００６】
動画に関連されるフォレンジック(Forensic)分析のための環境では事件に関連されるフレームイメージを早くて正確に捜し出さなければならない。
【０００７】
しかし、数百万枚に達するフレームイメージを人が一つずつ確認する方法では効率的な検出をするのに相当な困難と多い時間を消耗するようになる。
【０００８】
また、動画の場合は非常に類似なフレームイメージらが連続的に構成されているために不必要なイメージ検索作業が多くなる問題点がある。
【０００９】
既存の方法らは完全な動画を全部確認するか、または直接動画フレームと、フレームイメージをすべて復旧して確認する方法を使用するしかなかったし、これにより所要される時間が非常に長くなることで重要な事件らのデジタル証拠物分析作業に多い時間が所要されて、これにより事件解決が遅くなるしかない問題点がある。
【先行技術文献】
【特許文献】
【００１０】
【特許文献１】韓国登録特許第１０-１１３９７２４号公報
【特許文献２】韓国登録特許第１０-１４８６２３５号公報
【発明の概要】
【発明が解決しようとする課題】
【００１１】
このような問題点を解決するために、本発明は検索対象領域を任意の範囲程度分割して代表フレームイメージを検出して証拠イメージがあるもので推定される領域を追加繰り返して段階的に検出することで、大容量の動画で速かに所望の証拠フレームイメージを検索するデジタルフォレンジックで大容量動画証拠物に対する高速検索装置及び方法を提供することを目的とする。
【課題を解決するための手段】
【００１２】
前記した目的を達成するために本発明は、デジタルフォレンジックで大容量動画証拠物に対する高速検索装置として、使用者から検索対象動画証拠物の検索領域情報と少なくとも一つの代表イメージ抽出方法の入力を受けて検索/復元エンジン部に提供し、前記検索/復元エンジン部で抽出した代表イメージを表示する使用者インターフェース部と、及び前記使用者インターフェース部で入力された検索領域情報と代表イメージの抽出情報によって前記検索対象動画証拠物で前記入力された検索領域のフレーム情報を分析して代表フレーム情報を抽出して、前記抽出された代表フレーム情報をイメージで復元して前記使用者インターフェース部に出力する検索/復元エンジン部と、を含む。
【００１３】
また、本発明による前記使用者インターフェース部は使用者から検索対象動画証拠物で検索領域を選択し、前記選択された検索領域で代表イメージの抽出方法を選択する選択部と、及び前記検索/復元エンジン部で抽出した代表イメージ情報を表示する表示部を含むことを特徴とする。
【００１４】
また、本発明による前記選択部は検索対象動画証拠物の全体領域または使用者が設定した任意の特定領域のうちで何れか一つを検索範囲で設定することを特徴とする。
【００１５】
また、本発明による前記選択部は前記設定された検索範囲で比率的分割、空間的分割及び検出個数分割のうちで少なくとも一つの方法を代表フレーム検出方法で設定することを特徴とする。
【００１６】
また、本発明による前記比率的分割は、検索対象になる大容量動画証拠物の物理的な空間を使用者が設定した任意の百分率単位で分割して選択された一定比率ごとに代表フレームイメージを検出することを特徴とする。
【００１７】
また、本発明による前記空間的分割は検索対象になる大容量動画証拠物の物理的な記憶空間を使用者が設定した任意の記憶容量単位で分割して選択された一定記憶容量ごとに代表フレームイメージを検出することを特徴とする。
【００１８】
また、本発明による前記検出個数分割は、検索対象になる大容量動画証拠物の検索時、使用者が設定した任意のフレーム単位ごとに代表フレームイメージを検出することを特徴とする。
【００１９】
また、本発明による前記検索/復元エンジン部は、前記使用者インターフェース部で入力された検索領域と代表イメージの抽出方法によって前記検索対象動画証拠物で前記入力された検索領域のフレーム情報を分析して代表フレーム情報を抽出する検索部と、及び前記検索部で抽出された代表フレーム情報をイメージで復元する復元部と、を含むことを特徴とする。
【００２０】
また、本発明による前記検索部は入力された検索領域と代表イメージの抽出方法によって前記検索対象動画証拠物が記憶された物理的な空間で比率的分割、空間的分割及び検出個数分割のうちで少なくとも一つの分割方法を通じて代表フレーム情報を抽出することを特徴とする。
【００２１】
また、本発明はデジタルフォレンジックで大容量動画証拠物に対する高速検索方法として、ａ)使用者インターフェース部が使用者から検索対象動画証拠物の検索領域を設定する段階と、ｂ)前記使用者インターフェース部が使用者から前記設定された検索領域で少なくとも一つ以上の代表イメージ抽出方法の入力を受けて設定する段階と、ｃ)検索/復元エンジン部が前記設定された検索領域で前記設定された代表イメージの抽出方法によって代表フレーム情報を検索する段階と、及びｄ)前記検索/復元エンジン部が検索された代表フレーム情報でイメージ情報を復元し、使用者インターフェースの表示部に表示する段階と、を含む。
【００２２】
また、本発明による前記ａ)段階は、前記検索対象動画証拠物の全体領域または使用者が設定する任意の特定領域のうちで少なくとも一つを検索領域で設定することを特徴とする。
【００２３】
また、本発明による前記ｂ)段階は、代表イメージ抽出方法で検索対象動画証拠物が記憶された物理的な空間で比率的分割、空間的分割及び検出個数分割のうちで少なくとも一つを分割方法で設定することを特徴とする。
【００２４】
また、本発明による前記ｃ)段階は比率的分割、空間的分割及び検出個数分割のうちで少なくとも一つを通じて代表フレーム情報を検索することを特徴とする。
【００２５】
また、本発明による前記ｃ)段階は、分割された特定大きさの空間で一番目に検索されたフレームを代表フレームで検索することを特徴とする。
【００２６】
また、本発明による前記比率的分割は、検索/復元エンジン部が検索対象になる大容量動画証拠物の物理的な記憶空間を対象空間にして検索し、前記検索を通じて検出された動画フレーム情報を記憶する段階と、前記検索/復元エンジン部が前記対象空間を一定の比率によって飛ばしながら検索し、前記検索を通じて検出された代表フレーム情報を記憶する段階と、及び前記対象空間の全体検索が完了するまで前記一定比率ごとに代表フレーム情報を検出する段階と、を含むことを特徴とする。
【００２７】
また、本発明による前記空間的分割は、前記検索/復元エンジン部が検索対象になる大容量動画証拠物の物理的な記憶空間を対象空間にして検索し、前記検索を通じて検出された動画フレーム情報を記憶する段階と、前記検索/復元エンジン部が前記対象空間を一定容量によって飛ばしながら検索し、前記検索を通じて検出された代表フレーム情報を記憶する段階と、及び前記対象空間の全体検索が完了するまで前記一定記憶容量ごとに代表フレーム情報を検出する段階と、を含むことを特徴とする。
【００２８】
また、本発明による前記検出個数分割は、前記検索/復元エンジン部が検索対象になる大容量動画証拠物の物理的な記憶空間を対象空間にして検索し、前記検索を通じて検出された動画フレーム情報を記憶する段階と、前記検索/復元エンジン部が前記対象空間を一定フレーム数程度飛ばして対象空間を検索して、前記検索を通じて検出された代表フレーム情報を記憶する段階と、及び前記対象空間の全体検索が完了するまで前記一定フレーム数ごとに代表フレーム情報を検出する段階と、を含むことを特徴とする。
【発明の効果】
【００２９】
本発明は、大容量の動画フレームを検索する場合所望の領域で必要な比率で代表イメージを抽出し、これを確認することができるようにすることで、一部の映像フレームだけでも必要な場面を迅速に確認することができる長所がある。
【００３０】
また、本発明は大容量の動画フレームを全部検索しないで、必要な映像フレームを抽出することで、動画の分析時間を短縮させることができる長所がある。
【図面の簡単な説明】
【００３１】
【図１】本発明によるデジタルフォレンジックで大容量動画証拠物に対する高速検索装置の構成を示したブロック図である。
【図２】本発明によるデジタルフォレンジックで大容量動画証拠物に対する高速検索方法の全体的方法を示した流れ図である。
【図３】図２によるデジタルフォレンジックで大容量動画証拠物に対する高速検索方法の検索範囲設定を示した例示図である。
【図４】図２によるデジタルフォレンジックで大容量動画証拠物に対する高速検索方法の代表フレーム抽出方式の設定を示した例示図である。
【図５】図２によるデジタルフォレンジックで大容量動画証拠物に対する高速検索方法の比率的分割方法による代表フレーム抽出過程を示した流れ図である。
【図６】図２によるデジタルフォレンジックで大容量動画証拠物に対する高速検索方法の空間的分割方法による代表フレーム抽出過程を示した流れ図である。
【図７】図２によるデジタルフォレンジックで大容量動画証拠物に対する高速検索方法の検出個数分割方法による代表フレーム抽出過程を示した流れ図である。
【発明を実施するための形態】
【００３２】
以下、添付された図面を参照して本発明によるデジタルフォレンジックで大容量動画証拠物に対する高速検索装置及び方法の望ましい実施例を詳細に説明する。
【００３３】
図１は本発明によるデジタルフォレンジックで大容量動画証拠物に対する高速検索装置の構成を示したブロック図である。
【００３４】
図１に示したように、本発明による高速検索装置は使用者インターフェース部１００と、検索/復元エンジン部２００を含んで構成される。
【００３５】
前記使用者インターフェース部１００は、使用者から検索対象動画証拠物の検索領域情報と代表イメージの抽出方法の入力を受けて検索/復元エンジン部２００に提供し、前記検索/復元エンジン部２００で検索した結果と抽出された代表イメージを表示する構成として、使用者から入力された検索領域情報と抽出方法の設定情報の入力を受けて検索が遂行されるように動作制御信号を出力し、前記検索の結果情報が使用者にディスプレイ手段を通じて表示されるようにして、選択部１１０と、表示部１２０を含んで構成される。
【００３６】
前記選択部１１０は使用者から検索対象動画証拠物で検索領域の範囲を選択する情報と、前記選択された検索範囲で代表イメージの抽出方法が設定されることができるように表示部１２０を通じて出力して、使用者が入力する検索範囲の選択情報と代表イメージの抽出方法を選択した情報、使用者の検証用確認情報などを検出して検索/復元エンジン部２００に出力する。
【００３７】
また、前記選択部１１０は使用者が検索対象動画証拠物の全体領域または任意の特定領域のうちで何れか一つを検索範囲で選択できるように表示部１２０を通じてディスプレイして、使用者が選択または設定する検索範囲を検出する。
【００３８】
また、前記選択部１１０は使用者が設定した検索範囲(すなわち、証拠物が記憶された媒体の分割された領域)に対する代表フレームのイメージを抽出する方法を設定できるように表示部１２０を通じてディスプレイして、使用者が設定した代表フレームの抽出方法によって検索/復元エンジン部２００が動作できるように制御する。
【００３９】
前記検索範囲に対する代表フレームは比率的分割、空間的分割(または、容量別分割)及び検出個数分割(または、フレーム数分割)のうちで何れか一つの分割方法を通じて抽出することができる。
【００４０】
前記比率的分割は検索対象になる大容量動画証拠物の物理的な空間を使用者が設定した任意の百分率単位で分割して選択された一定の比率ごとに代表フレームイメージを検出するものである。
【００４１】
すなわち、前記比率的分割は選択された任意の区間が、例えば、１００ＧＢで均一な分布で１ＧＢ当たり１枚のフレームがあるもので仮定する時、使用者が１％の比率を指定したら、選択された任意の区間全体を１００％にして各区間の１％ごとにフレームを抽出する。
【００４２】
前記例示では１００個のフレームが検出されて、例示の条件で２％の比率で指定すれば５０個のフレームが検出され、５％の比率で指定すれば２０個のフレームを検出するようになる。
【００４３】
前記空間的分割は検索対象になる大容量動画証拠物の物理的な記憶空間を使用者が設定した任意の記憶容量単位で分割して選択された一定記憶容量ごとに代表フレームイメージを検出するものである。
【００４４】
すなわち、前記空間的分割は選択された任意の区間容量が、例えば、１００ＧＢで均一な分布で１ＧＢ当たり１０枚のフレームが存在する証拠物(全体証拠物に１０００枚のフレームがある場合)があると仮定して、これを検索する時、使用者が１ＧＢを指定した場合該当１ＧＢ内に１０枚のフレームがあるが、１ＧＢ内の１個のフレームを検出して前記の例示では１００枚のフレームを代表で検出する。
【００４５】
前記検出個数分割は検索対象になる大容量動画証拠物の検索時、使用者が設定した任意のフレーム単位(フレーム数)ごとに分割して代表フレームイメージを検出するものとして、前記した比率的分割と空間的分割の方式とは差がある。
【００４６】
例えば、１００００個のフレームイメージが検出された場合使用者が１００個のイメージ当たり一枚で指定したら総１００枚の代表フレームイメージを抽出する。
【００４７】
前記表示部１２０は使用者に検索範囲の表示及び選択、代表フレームイメージの抽出方法と、検索/復元エンジン部２００で抽出した代表イメージとフレーム情報を表示する。
【００４８】
前記検索/復元エンジン部２００は使用者インターフェース部１００で入力されたデジタル証拠物の検索範囲と代表イメージの抽出方法によって検索対象動画証拠物で前記入力された検索範囲に含まれたフレーム情報を検索して代表フレーム情報を抽出し、前記抽出された代表フレーム情報をイメージで復元して前記使用者インターフェース部１００に出力する構成として、検索部２１０と、復元部２２０を含んで構成されて、デジタル証拠物が記憶された記憶装置と物理的に接続されることができる。
【００４９】
前記検索部２１０は使用者インターフェース部１００で入力された検索領域情報と代表イメージの抽出方法によって検索対象動画証拠物で設定された検索範囲のフレーム情報を分析して代表フレーム情報を抽出する。
【００５０】
すなわち、前記検索部２１０は設定された検索範囲によって検索対象動画証拠物が記憶された記憶装置の物理的な空間で検索範囲(または、検索領域)を設定して、設定された代表イメージの抽出方法によって記憶装置の物理的な空間を比率的分割、空間的分割及び検出個数分割のうちで何れか一つの分割方法を通じてフレームらを検索した後代表フレーム情報を抽出する。
【００５１】
前記代表フレーム情報は分割された特定大きさの空間で一番目に検索されたフレームを代表フレームで抽出する。
【００５２】
前記復元部２２０は検索部２１０で抽出された代表フレーム情報をイメージで復元して使用者インターフェース部１００に送る。
【００５３】
次は本発明によるデジタルフォレンジックで大容量動画証拠物に対する高速検索方法を説明する。
【００５４】
図２は、本発明によるデジタルフォレンジックで大容量動画証拠物に対する高速検索方法の全体的方法を示した流れ図であり、図１及び図２を参照して説明する。
【００５５】
使用者インターフェース部１００は使用者から検索対象動画証拠物が記憶された記憶装置で検索領域に対する情報の入力を受けて検索範囲を設定(Ｓ１００)する。
【００５６】
前記Ｓ１００段階で設定される検索領域は検索対象動画証拠物の全体領域を検索範囲で設定するか、または使用者が設定する特定領域を検索範囲で設定することができる。
【００５７】
すなわち図３に示したように、検索範囲３００を設定する場合証拠物の全体領域に対して第１検索範囲設定３１０と、第２検索範囲設定３２０を遂行して証拠物の検索範囲３００を設定することができる。
【００５８】
また、検索範囲３００の直接比率設定３２０を通じて任意の検索範囲を比率的に設定するか、または検索対象証拠物の検索領域で容量設定３２１を通じて検索範囲の一定区間容量を設定することもできる。
【００５９】
再び図１及び図２を参照すれば、前記使用者インターフェース部１００は前記Ｓ１００段階で使用者から設定された検索領域で代表イメージの抽出方法を比率的分割、空間的分割及び検出個数分割のうちで設定(Ｓ１１０)する。
【００６０】
すなわち、Ｓ１００段階での検索範囲が設定されれば、前記設定された検索範囲に含まれた動画らのフレームを検索して、前記検索されたフレームらの代表フレームを検出するための抽出方法を設定する。
【００６１】
図４は、代表フレーム抽出方式の設定を示したものであり、比率的分割方式と、容量別分割方式と、検出個数分割方式で設定することができる。
【００６２】
前記比率的分割方式はＳ１００段階で設定された検索範囲を１００％にして使用者が設定する比率によって代表フレームのイメージが抽出されるようにする。
【００６３】
すなわち、比率的分割設定４００を通じて代表フレームを抽出する場合使用者が比率入力部４０１を通じて検索範囲を１％比率で設定すれば、検索範囲の１％ごとに代表フレームを抽出することで１００個のフレームを検出することができるし、２％を比率で設定すれば５０個の代表フレームを検出することができるし、１０％を比率で設定すれば１０個の代表フレームが抽出されるようにする。
【００６４】
また、前記容量別分割方式はＳ１００段階で設定された検索範囲で使用者が設定する区間容量に存在するフレームを検索して一つのフレームを該当容量の代表フレームで抽出されるようにする。
【００６５】
すなわち、容量別分割設定４１０を通じて代表フレームを抽出する場合使用者が容量入力部４１１を通じて区間容量を例えば、２ＧＢで設定した場合該当２ＧＢ内に含まれた一定個数のフレームで１個のフレームを検出して代表フレームで抽出されるようにする。
【００６６】
また、前記検出個数分割方式は、Ｓ１００段階で設定された検索範囲で使用者が設定した任意のフレーム単位(フレーム数)ごとに代表フレームイメージが抽出されるようにする。
【００６７】
すなわち、検出個数によるフレーム数分割設定４２０を通じて代表フレームが抽出される場合使用者がフレーム数入力部４２１に、例えば、５０を設定すれば、毎５０枚のフレーム当たり一つの代表フレームを抽出し、１５を設定すれば、毎１５枚のフレーム当たり一枚の代表フレームが抽出されるようにする。
【００６８】
再び図１及び図２を参照すれば、前記検索/復元エンジン部２００は前記使用者インターフェース部１００を通じて前記Ｓ１００段階及びＳ１１０段階で設定された検索領域情報と代表イメージの抽出方法選択情報によって検索対象動画証拠物が記憶された記憶空間でフレームを検索して代表フレーム情報を抽出(Ｓ１２０)する。
【００６９】
前記Ｓ１２０段階で検索/復元エンジン部２００は、検索対象動画証拠物が記憶された物理的な空間で設定された検索範囲で設定された抽出方法によって比率的分割、空間的分割及び検出個数分割のうちで何れか一つの分割方法を通じて代表フレーム情報を抽出する。
【００７０】
図５に示したように、比率的分割(Ｓ２００)は前記検索/復元エンジン部２００が検索対象になる大容量動画証拠物の物理的な記憶空間を対象空間にして検索(Ｓ２１０)し、前記Ｓ２１０段階の検索を通じて最初検出された動画フレーム情報を記憶(Ｓ２２０)する。
【００７１】
以後、前記検索/復元エンジン部２００は検索対象空間を使用者が設定した一定比率によって飛ばして(Ｓ２３０)対象空間を検索(Ｓ２４０)し、前記Ｓ２４０段階の検索を通じて検出された代表フレーム情報を記憶(Ｓ２５０)し、前記Ｓ２３０段階とＳ２４０段階の検索過程は対象空間の全体検索が完了(Ｓ２６０)されるまで遂行する。
【００７２】
また、図６に示したように空間的分割(Ｓ３００)であれば、前記検索/復元エンジン部２００が検索対象になる大容量動画証拠物の物理的な記憶空間を対象空間にして検索Ｓ３１０し、前記Ｓ３１０段階の検索を通じて最初検出された動画フレーム情報を記憶(Ｓ３２０)する。
【００７３】
以後、前記検索/復元エンジン部２００は検索対象空間を使用者が設定した一定容量によって飛ばして(Ｓ３３０)対象空間を検索(Ｓ３４０)し、前記Ｓ３４０段階の検索を通じて検出された代表フレーム情報を記憶(Ｓ３５０)し、前記Ｓ３３０段階と、Ｓ３４０段階の検索過程は対象空間の全体検索が完了(Ｓ３６０)されるまで遂行する。
【００７４】
また、図７に示したように、検出個数分割によるフレーム数選択(Ｓ４００)であれば、前記検索/復元エンジン部２００が検索対象になる大容量動画証拠物の物理的な記憶空間を対象空間にして検索(Ｓ４１０)し、前記Ｓ４１０段階の検索を通じて最初検出された動画フレーム情報を記憶(Ｓ４２０)する。
【００７５】
以後、前記検索/復元エンジン部２００は検索対象空間を検索(Ｓ４３０)し、使用者が設定したフレーム数程度飛ばして(Ｓ４４０)代表フレーム情報を記憶(Ｓ４５０)し、前記Ｓ４３０段階乃至Ｓ４５０段階の検索過程は対象空間の全体検索が完了(Ｓ４６０)されるまで遂行する。
【００７６】
一方、前記検索/復元エンジン部２００は前記Ｓ１２０段階で分割された特定大きさの空間で一番目に検索されたフレームを代表フレームで設定する。
【００７７】
前記Ｓ１２０段階を遂行した後前記検索/復元エンジン部２００は、前記Ｓ１２０段階で検索された代表フレーム情報を利用して代表フレームイメージを復元して、復元された代表イメージと抽出されたフレーム情報を使用者インターフェース部１００に送って使用者に表示(Ｓ１３０)されるようにする。
【００７８】
一方、検出された代表イメージは使用者インターフェース部１００を通じて使用者にディスプレイされて、使用者の判断によって所望の場面に近接するかの如何を判断できるようにする。
【００７９】
検出された代表イメージが所望の場面に近接した場合には使用者の入力によって任意の最小領域に再分割して、分割された全体のフレームイメージに対して分析することができるし、前記再分割して検索する過程は前記Ｓ１２０段階で獲得したフレームを確認して検索範囲をもう一度制限して検索することができる。
【００８０】
また、所望の場面に近接しなかった場合には前記Ｓ１００乃至Ｓ１３０段階を繰り返して遂行することで、所望の場面が検索されることができるようにする。
【００８１】
したがって、大容量動画証拠物の全体フレームに対する順次な確認を経らないで、代表的なフレームだけ検出して従来の復元及び分析時間を減少させることができるようになる。
【００８２】
前記のように、本発明の望ましい実施例を参照して説明したが、該当技術分野の熟練された当業者なら下記の特許請求範囲に記載された本発明の思想及び領域から脱しない範囲内で本発明を多様に修正及び変更させることができることを理解することができるであろう。
【００８３】
また、本発明の実施例を説明する過程で図面に示された線らの厚さや構成要素の大きさなどは説明の明瞭性と便宜上誇張されるように図示されることがあり得て、前述された用語らは本発明での機能を考慮して定義された用語として、これは使用者、運用者の意図または慣例によって変わることができるので、このような用語らに対する解釈は本明細書全般にわたった内容を土台で下ろされなければならないであろう。
【符号の説明】
【００８４】
１００  使用者インターフェース部
１１０  選択部
１２０  表示部
２００  検索/復元エンジン部
２１０  検索部
２２０  復元部
３００  検索範囲
３１０  第１検索範囲設定
３１１  第２検索範囲設定
３２０  比率設定
３２１  容量設定
４００  比率的分割設定
４０１  比率入力部
４１０  容量別分割設定
４１１  容量入力部
４２０  フレーム数分割設定
４２１  フレーム数入力部
【図１】
0006319600.tif 000002
【図２】
0006319600.tif 000003
【図３】
0006319600.tif 000004
【図４】
0006319600.tif 000005
【図５】
0006319600.tif 000006
【図６】
0006319600.tif 000007
【図７】
0006319600.tif 000008